(57)【要約】【課題】ビジョン部の中間空気層を室外に連通する吸気口、排気口が小さく、外観の見栄えが良いカーテンウォールとする。【解決手段】ビジョン部１０ａとスパンドレル部１０ｂを有し、そのビジョン部１０ａは室内側窓１１と室外側窓１２との間に中間空気層１３を有し、その中間空気層１３を吸気口１４と排気口１５で室外に連通して外気が連通し、かつ前記スパンドレル部１０ｂには外気が流通しないようにして、外気が流通する中間空気層１３の容積が小さく、前記吸気口１４、排気口１５を小さくして外観の見栄えが良いカーテンウォールとする。【選択図】図２
2010059639.tif 000002
【特許請求の範囲】
【請求項１】
建物の居住空間と対向したビジョン部と、前記建物の上下階の境界部分と対向したスパンドレル部を備え、
前記ビジョン部は、室内側窓と室外側窓との間に中間空気層を有し、この中間空気層の下部が吸気口で室外に連通し、かつ上部が排気口で室外に連通してビジョン部の中間空気層にのみ外気が流通するようにしたことを特徴とするカーテンウォール。
【請求項２】
左右の縦材と上横材と中間横材と下横材とで上枠部と下枠部を有した枠体とし、
前記上枠部に、耐火性能を有する室内側パネルを装着してスパンドレル部とし、前記下枠部に室内側窓と室外側窓を装着して中間空気層を有するビジョン部とし、
前記下横材に吸気口を形成すると共に、前記中間横材に排気口を形成して前記中間空気層に外気が流通するようにした請求項１記載のカーテンウォール。
【請求項３】
枠体の上枠部に、室内側パネルと室外側パネルを装着して中間空気層を有するスパンドレル部とし、
この室外側パネルとビジョン部の室外側窓を面外方向にほぼ同一位置とし、
前記スパンドレル部の中間空気層には外気が流通しないようにした請求項２記載のカーテンウォール。
【請求項４】
中間横材は、本体横材と、この本体横材よりも見込み寸法が小さい補助横材を有し、
前記本体横材を縦材に連結すると共に、前記補助横材を前記縦材の室外側寄りに、前記本体横材よりも下方に位置し、かつその補助横材の上面と本体横材の下面との間に隙間を形成して連結し、
前記本体横材の室内側部に室内側窓を装着すると共に、前記補助横材に室外側窓を装着して中間空気層を形成し、
この中間空気層の上部を前記隙間に連通し、その隙間を排気口とした請求項２又は３記載のカーテンウォール。
【請求項５】
補助横材は、室外側から室内側に向けてほぼ斜め上向きの空気ガイド部を有し、
本体横材は、室内側部と、この室内側部からほぼ斜め下方向に向かう中間部と、この中間部に設けた室外側部を有し、
前記空気ガイド部は、前記本体横材の室外側部よりも上方に突出して中間部と対向し、前記排気口の流入口が流出口よりも上方に位置したほぼＬ字形状である請求項４記載のカーテンウォール。
【請求項６】
ビジョン部の室内側窓における室内側面に断熱材を介してカバー材を取付けた請求項１記載のカーテンウォール。
【発明の詳細な説明】
【技術分野】
【０００１】
本発明は、建物の外壁を構成するカーテンウォールに関する。
【背景技術】
【０００２】
従来、建物の外壁を構成するカーテンウォールとしては、特許文献１に開示したように、インナースキンと呼ばれる室内側窓とアウタースキンと呼ばれる室外側窓とを備え、その室内側窓と室外側窓との間に中間空気層を形成し、この中間空気層を吸気口と排気口で室外に連通したダブルスキン構造のカーテンウォールが知られている。
このカーテンウォールであれば、中間空気層が断熱の役目を果たすと共に、その中間空気層に外気が流通するので、断熱性能が良い。
また、ブラインドを設けることで、そのブラインドで日射を遮り、外気を流通させることで日射熱取得を軽減できる。
【特許文献１】特開２００１−２５３７３４号公報
【発明の開示】
【発明が解決しようとする課題】
【０００３】
建物の外壁は、一般的に、床と天井との間の居住空間と対向したビジョン部（窓部）と、下の階の天井と上の階の床との間の上下階の境界部と対向したスパンドレル部（腰部）を備え、そのビジョン部とスパンドレル部が上下方向に交互に連続している。
前述した従来のダブルスキン構造のカーテンウォールは、前記ビジョン部と前記スパンドレル部とに亘って前記中間空気層が連続して形成され、ビジョン部の下部に吸気口を形成すると共に、スパンドレル部の上部に排気口が形成され、ビジョン部とスパンドレル部とに亘って外気が流通するので、外気が流通する中間空気層の容積が大きく、その吸気口、排気口を大きくして多量の外気が中間空気層に流入、流出するようにしている。
このために、室外からカーテンウォールを見たときに、前記吸気口、排気口が目立つので、外観の見栄えが悪いカーテンウォールとなる。
また、スパンドレル部に外気が流通するから、断熱性能が低下する。
【０００４】
また、カーテンウォールの横材に吸気口、排気口を形成するのが一般的であるが、前述のように、吸気口、排気口が大きいので、大きな形状の横材を用いることになり、コストアップの要因になっていた。
【０００５】
本発明の目的は、室内側窓と室外側窓との間における外気が流通する中間空気層の容積を小さくすることで、吸気口、排気口を小さくし、部材や部品を低減させるだけでなく、熱性能の向上も図ることの横材を小さくすることができ、しかも断熱性能を向上できるカーテンウォールを提供することである。
【課題を解決するための手段】
【０００６】
本発明は、建物の居住空間と対向したビジョン部と、前記建物の上下階の境界部分と対向したスパンドレル部を備え、
前記ビジョン部は、室内側窓と室外側窓との間に中間空気層を有し、この中間空気層の下部が吸気口で室外に連通し、かつ上部が排気口で室外に連通してビジョン部の中間空気層にのみ外気が流通するようにしたことを特徴とするカーテンウォールである。
【０００７】
本発明においては、左右性能を有する縦材と上横材と中間横材と下横材とで上枠部と下枠部を有した枠体とし、
前記上枠部に、耐火性能を有する室内側パネルを装着してスパンドレル部とし、前記下枠部に室内側窓と室外側窓を装着して中間空気層を有するビジョン部とし、
前記下横材に吸気口を形成すると共に、前記中間横材に排気口を形成して前記中間空気層に外気が流通するようにできる。
このようにすれば、吸気口が小さいことによって、その吸気口を形成した下横材を小さくできるので、通常のカーテンウォールの下横材と同程度の大きさの下横材とすることができる。
【０００８】
本発明においては、枠体の上枠部に、室内側パネルと室外側パネルを装着して中間空気層を有するスパンドレル部とし、
この室外側パネルとビジョン部の室外側窓を面外方向にほぼ同一位置とし、
前記スパンドレル部の中間空気層には外気が流通しないようにできる。
このようにすれば、スパンドレル部の室外側面とビジョン部の室外側面がほぼ同一に連続するから、外観の見栄えが良い。また、スパンドレル部の中間空気層には外気が流通しないので、断熱性能を向上できる。
【０００９】
本発明においては、中間横材は、本体横材と、この本体横材よりも見込み寸法が小さい補助横材を有し、
前記本体横材を縦材に連結すると共に、前記補助横材を前記縦材の室外側寄りに、前記本体横材よりも下方に位置し、かつその補助横材の上面と本体横材の下面との間に隙間を形成して連結し、
前記本体横材の室内側部に室内側窓を装着すると共に、前記補助横材に室外側窓を装着して中間空気層を形成し、
この中間空気層の上部を前記隙間に連通し、その隙間を排気口とすることができる。
このようにすれば、本体横材と補助横材を縦材に連結することで排気口を形成できる。
【００１０】
本発明においては、補助横材は、室外側から室内側に向けてほぼ斜め上向きの空気ガイド部を有し、
本体横材は、室内側部と、この室内側部からほぼ斜め下方向に向かう中間部と、この中間部に設けた室外側部を有し、
前記空気ガイド部は、前記本体横材の室外側部よりも上方に突出して中間部と対向し、前記排気口の流入口が流出口よりも上方に位置したほぼＬ字形状とすることができる。
このようにすれば、排気口から雨水等が中間空気層に浸入し難い。
【００１１】
本発明においては、ビジョン部の室内側窓における室内側面に断熱材を介してカバー材を取付けることができる。
このようにすれば、ビジョン部の室内側面における室内側面、つまりカバー材に結露が生じることがない。
【発明の効果】
【００１２】
本発明によれば、ビジョン部の中間空気層にのみ外気が流通するので、その外気が流通する中間空気層の容積が小さく、吸気口、排気口を小さくできる。
したがって、室外からカーテンウォールを見たときに、前記吸気口、排気口が目立つことがなく、吸気口、排気口を外観上シンプルにすっきりさせることができ、外観の見栄えが良い。
また、吸気口、排気口を横材に形成する場合には、その横材を小さくできるので、コスト安にできる。
また、スパンドレル部には外気が流通する中間空気層がないから、断熱性能の向上がはかれる。
【発明を実施するための最良の形態】
【００１３】
図１と図２に示すように、建物１の外壁１ａを構成するカーテンウォール１０は、ビジョン部（窓部）１０ａとスパンドレル部１０ｂを、上下方向に交互に有している。
前記建物１は、建物躯体２に床スラブ３を介して床板４を取付けた床５と、前記床スラブ３に天井板６を取付けた天井７を有し、その床５と天井７との間が建物１の居住空間（室内）８で、下の階の天井７と上の階の床５との間が建物１の上下階の境界部分９である。
前記カーテンウォール１０のビジョン部１０ａが前記居住空間８と対向し、スパンドレル部９が前記境界部分９と対向している。
この実施の形態では、ぺリカウンター４ａと天井７との間にビジョン部１０ａが対向し、その天井７と上の階のぺリカウンター４ａとの間にスパンドレル部１０ｂが対向している。
前記ビジョン部１０ａは、インナースキンと呼ばれる室内側窓１１とアウタースキンと呼ばれる室外側窓１２を備え、その室内側窓１１と室外側窓１２との間に中間空気層１３を形成している。
この中間空気層１３は、その下部に形成した吸気口１４と上部に形成した排気口１５で室外にそれぞれ連通し、前記中間空気層１３には外気が流通するようにしてビジョン部１０ａは外気が流通する中間空気層１３を有したダブルスキン構造である。
前記スパンドレル部１０ｂは、耐火ボードのように耐火性能を有した室内側パネル１６と室外側パネル１７を備え、その室内側パネル１６と室外側パネル１７との間に中間空気層１８を有している。
この中間空気層１８は室外に連通せずに外気が流通しないようにしてスパンドレル部１０ｂは外気が流通する中間空気層を有したダブルスキン構造ではない。これによって、断熱性能を向上できる。
要するに、スパンドレル部１０ｂの室外側パネル１７は、ビジョン部１０ａの室外側窓１２と面外方向（室内外側方向）に面一で、スパンドレル部１０ｂとビジョン部１０ａの室外側面を面一に連続させるものである。
【００１４】
このようであるから、ビジョン部１０ａの中間空気層１３にのみ外気が流通するので、その外気が流通する中間空気層１３の容積が小さい。
したがって、中間空気層１３に流通する外気の量が少なく、吸気口１４、排気口１５を小さくして、吸気口１４、排気口１５を外観上シンプルにすっきりさせることができるから、室外からカーテンウォールを見たときに吸気口１４、排気口１５が目立つことがなく、外観の見栄えが良い。
また、カーテンウォールの横材に吸気口１４、排気口１５を形成するようにしたときに、その吸気口１４、排気口１５を小さくし、部材や部品を低減させるだけでなく熱性能の向上もはかることの横材を小さくすることができるので、コスト安である。
【００１５】
図１、図２に示すカーテンウォール１０は、カーテンウォールユニットを上下、左右に配設したユニット式のカーテンウォールとしてある。
例えば、左右の縦材２０間に上横材２１と中間横材２２と下横材２３を連結して上枠部２４と下枠部２５を有する枠体２６とし、その上枠部２４に室内側パネル１６と室外側パネル１７を取付けてスパンドレル部１０ｂとし、前記下枠部２５に前記室内側窓１１と室外側窓１２を取付け、下横材２３に吸気口１４を形成すると共に中間横材２２に排気口１５を形成してビジョン部１０ａとしてある。
【００１６】
次に各部材の詳細を説明する。
前記縦材２０は図３、図４に示すように、面外方向の室外側部に、面内方向の内側に開口した内向き凹部３０を有し、面外方向の室内側寄りに、面内方向の内側に突出した内向き突片３１を有している。
例えば、面外方向に向かう本体２０ａの室外側部にアタッチメント２０ｂを取付けて内向き凹部３０としてある。
前記上横材２１は図５に示すように、面外方向の室外側部に、面内方向の下側に開口した下向き凹部３２を有し、面外方向の室内側寄りに、面内方向の下側に突出した下向き突片３３を有している。
例えば、面外方向に向かう本体２１ａの室外側部にアタッチメント２１ｂを取付けて下向きに凹部３２としてある。
前記下横材２３は図５に示すように、面外方向の室外側部に、面内方向の上側に開口した上向き凹部３４を有し、面外方向の室内側寄りに、面内方向の上側に突出した上向き突片３５を有し、面外方向の中間には上下面に開口したスリット状の穴３６が長手方向に間隔を置いて複数形成されて吸気口１４としてある。
前記下横材２３の面外方向の室内側寄りに、面内方向の下側に開口した連結用下向き凹部３７が形成してある。
例えば、面外方向に向かう本体２３ａの室外側部にアタッチメント２３ｂを取付けて上向き凹部３４としてある。
【００１７】
前記中間横材２２は図６に示すように、本体横材４０と補助横材５０を備えている
前記本体横材４０は面外方向の室内側部４１と面外方向の中間部４２と面外方向の室外側部４３で見込み寸法（室内外側方向の寸法）が前記縦材２０の見込み寸法（面外方向の寸法）と同一で、その面外方向の室外側部４３には面内方向の上側に開口した上向き凹部４４を有し、面外方向の室内側部４１には面内方向の上側に向かう上向き突片４５と面内方向の下側に向かう下向き突片４６を有していると共に、面外方向の中間部４２は、室内側が室外側よりも高くなるように水平に対して斜めで、前記上向き突片４５が上で、上向き凹部４４が下となると共に、下向き突片４６が上向き凹部４４よりも下となるようにしてある。
【００１８】
この実施の形態では、室内側部４１は矩形中空形状で、その上下に上向き突片４５、下向き突片４６が一体に設けてある。
前記中間部４２は下向き円弧形状に湾曲した板状で、その中間部４２の室内側端部が室内側部４１の上部に一体的に設けてあり、その室外側端部に前記アタッチメント４０ｂを設けて室外側部４３としてある。
【００１９】
前記補助横材５０は、面外方向の室外側部に面内方向の下側に向かう下向き凹部５１を有すると共に、面外方向の室内側部に空気ガイド部５２を有している。
例えば、空気ガイド部５２を有した本体５０ａの室外側部にアタッチメント５０ｂを取付けて下向き凹部５１としてある。
前記補助横材５０の見込み寸法（面外方向の寸法）は、前記本体横材４０の見込み寸法（面外方向の寸法）よりも小さく、前記左右の縦材２０の面外方向室外側寄り間に亘って取付けられる。
そして、本体横材４０の下面と補助横材５０の上面が離隔して両者の間に隙間を形成し、その隙間が中間空気層１３の上部に連通して前記排気口１５を形成している。
例えば、補助横材５０の空気ガイド部５２が前記本体横材４０の室外側部４３よりも上方に突出し、排気口１５の流入口１５ａが流出口１５ｂよりも上方に位置したほぼＬ字形状の排気口１５を形成している。
【００２０】
前記縦材２０の内向き凹部３０、上横材２１の内向き凹部３２、本体横材４０の上向き凹部４３が四周連続し、その各凹部に亘って前記室外側パネル１７が装着してある。
前記縦材２０の内向き突片３１、上横材２１の内向き突片３３、本体横材４０の上向き突片４５が四周連続し、その各突片に室内側パネル１６が取付けてある。
これによって、中間空気層１８を形成してスパンドレル部としてある。
【００２１】
前記縦材２０の内向き凹部３０、下横材２３の上向き凹部３４、補助横材５０の下向き凹部５１が四周連続し、その各凹部に亘って透光性パネルを装着して前述の室外側窓１２としてある。
前記縦材２０の内向き突片３１、下横材２３の内向き突片３５、本体横材４０の下向き突片４６が四周連続し、その各突片に亘って前記室内側窓１１を取付け、中間空気層１３を有したビジョン部としてある。前記中間空気層１３にはブラインド５３が取付けてある。
このように、ブラインド５３はビジョン部１０ａにのみ設けてあり、スパンドレル部１０ｂにはブラインドが設けてないので、コストダウンをはかることができる。
【００２２】
前記中間空気層１３の下部は、図５に示すように前記下横材２３の吸気口１４で室外に連通し、この中間空気層１３の上部は、図６に示すように本体横材４０と補助横材５０との間に形成した排気口１５で室外に連通している。
前記排気口１５は前述のように流入口１５ａ（中間空気層１３の上部に連通した部分）が流出口１５ｂ（室外に連通した部分）よりも上方に位置するほぼＬ字形状であるから、その排気口１５から雨水等が中間空気層１３内に浸入し難い。
【００２３】
図３に示すように、縦材２０の上部がファスナー５４で床スラブ３に固着して取付けてある。
図５に示すように、上下に隣接した上のカーテンウォール１０（枠体２６）の下横材２３と下のカーテンウォール１０（枠体２６）の上横材２１が連結金具５５で連結され、その下横材２３と上横材２１とが上下方向に離隔し、その両者の間の隙間を通して室外と前記吸気口１４が連通する。
【００２４】
前記枠体２６の周囲には一次シール材５６と二次シール材５７が面外方向に間隔を置いてそれぞれ装着され、上下に隣接したカーテンウォール１０（枠体２６）の一次シール材５６相互が接すると共に、二次シール材５７相互が圧接し、左右の隣接したカーテンウォール１０（枠体２６）の一次シール材５６相互が接すると共に、二次シール材５７相互が圧接している。
前記一次シール材５６と二次シール材５７との間の空間部５８は、図５に示すように下横材２３に形成した穴５９を通して室外に連通して空間部５８を外気と等圧としてある。
【００２５】
前記室内側窓１１は開閉自在としてある。
例えば、上框６０と下框６１と左右の縦框６２を方形状に連結し、その内部にガラス６３を装着してガラス障子６４とする。
前記上框６０を図６に示すように、中間横材２２の室内側部（本体横材４０の室内側部４１）にフック６５で上下揺動自在に連結してガラス障子６４を開閉自在としてある。
このようであるから、ガラス障子６４を上方に揺動して開放することで、中間空気層１３内を点検、清掃したり、ブラインド５３の交換、室外側窓１２の清掃などを室内から容易に実施できる。
【００２６】
前記ガラス障子６４を閉じた状態で、上框６０、下框６１、縦框６２が前記下向き突片４６、上向き突片３５、内向き突片３１に装着したシール材６６に圧接して中間空気層１３内を気密している。
前記各シール材６６は、各框にガラス６３を装着する室外側パッキン６７と接し、各框に中間空気層１３内の空気が触れないようにしてある。
このようであるから、中間空気層１３内を流通する外気によって各框に結露が生じることがないし、その外気の熱が各框に直接に伝わって室内温度が上昇することがない。
【００２７】
前述のように、ガラス障子６４の室内側面に結露が発生することを防止するには、図７に示すように各框（縦框６２）の室内側面に断熱材７０を介在してカバー材７１を取付け、そのカバー材７１に中間空気層１３を流通する外気の熱が直接伝わらないようにしても良い。
【図面の簡単な説明】
【００２８】
【図１】本発明の実施の形態を示すカーテンウォールの概略外観図である。
【図２】図１のＡ−Ａ断面図である。
【図３】図１のＢ−Ｂ拡大詳細断面図である。
【図４】図１のＣ−Ｃ拡大詳細断面図である。
【図５】図１のＤ−Ｄ拡大詳細断面図である。
【図６】図１のＥ−Ｅ拡大詳細断面図である。
【図７】室内側窓の室内側面に結露が生じないようにした実施の形態の縦框部分の横断面図である。
【符号の説明】
【００２９】
１…建物、１ａ…外壁、８…居住空間、９…境界部分、１０…カーテンウォール、１０ａ…スパンドレル部、１１…室内側窓、１２…室外側窓、１３…中間空気層、１４…吸気口、１５…排気口、１６…室内側パネル、１７…室外側パネル、１８…中間空気層、２０…縦材、２１…上横材、２２…中間横材、２４…上枠部、２５…下枠部、２６…枠体、４０…本体横材、４１…室内側部、４２…中間部、４３…室外側部、５０…補助横材、５２…空気ガイド部。
【図１】
2010059639.tif 000003
【図２】
2010059639.tif 000004
【図３】
2010059639.tif 000005
【図４】
2010059639.tif 000006
【図５】
2010059639.tif 000007
【図６】
2010059639.tif 000008
【図７】
2010059639.tif 000009